(57)【要約】  光源光４１を出射する光源４０と、光源光を吸収し、光源光の波長とは異なる波長を有する第１光１１を放射する第１波長変換部１０と、第１波長変換部の光源とは反対の側に設けられ、光源光及び第１光を透過させる透光部３０と、透光部の第１波長変換部とは反対の側に設けられ、光源光及び第１光の少なくともいずれかを吸収し、光源光の波長とは異なり、第１光の波長とも異なる波長を有する第２光２１を放射する第２波長変換部２０と、を備える発光装置が提供される。光源光の一部は、第１波長変換部及び第２波長変換部の少なくともいずれかを通過せずに外部に取りだされる。これにより、所望の発光色を高効率で発光する発光装置が提供される。
2011013188.tif 000002
【特許請求の範囲】
【請求項１】
光源光を出射する光源と、
前記光源光を吸収し、前記光源光の波長とは異なる波長を有する第１光を放射する第１波長変換部と、
前記第１波長変換部の前記光源とは反対の側に設けられ、前記光源光及び前記第１光を透過させる透光部と、
前記透光部の前記第１波長変換部とは反対の側に設けられ、前記光源光及び前記第１光の少なくともいずれかを吸収し、前記光源光の前記波長とは異なり、前記第１光の波長とも異なる波長を有する第２光を放射する第２波長変換部と、
を備え、
前記光源光の一部は、前記第１波長変換部及び前記第２波長変換部の少なくともいずれかを通過せずに外部に取りだされることを特徴とする発光装置。
【請求項２】
前記透光部は、前記第２波長変換部に覆われた第１領域と、前記第２波長変換部に覆われていない第２領域と、を有し、前記第２領域は、前記透光部の前記第２波長変換部に対向する主面の一部、及び、前記透光部の側面の少なくとも一部、の少なくともいずれかを含むことを特徴とする請求項１記載の発光装置。
【請求項３】
前記第１波長変換部は、前記第２波長変換部に覆われた第３領域と、前記第２波長変換部に覆われていない第４領域と、を有し、前記第４領域は、第１波長変換部の前記透光部に対向する主面の一部、及び、前記第１波長変換部の側面の少なくとも一部、の少なくともいずれかを含むことを特徴とする請求項２記載の発光装置。
【請求項４】
前記透光部は、前記第１波長変換部の一部と、前記第２波長変換部の一部と、に接触して設けられ、前記第２波長変換部を支持する支持体を有し、
前記第１波長変換部と前記第２波長変換部との間には、前記支持体を除く部分に空隙が設けられていることを特徴とする請求項３記載の発光装置。
【請求項５】
前記第１波長変換部は、前記第１波長変換部を前記第１波長変換部の厚さ方向で貫通する第１孔を有することを特徴とする請求項３記載の発光装置。
【請求項６】
前記第２波長変換部は、前記第２波長変換部を前記第２波長変換部の厚さ方向で貫通する第２孔を有することを特徴とする請求項３記載の発光装置。
【請求項７】
前記第１波長変換部、前記透光部、及び、前記第２波長変換部のそれぞれは、平板状であることを特徴とする請求項３記載の発光装置。
【請求項８】
前記第１光の波長は、前記光源光の波長よりも長く、
前記第２光の波長は、前記第１光の波長よりも長いことを特徴とする請求項３記載の発光装置。
【請求項９】
前記第１波長変換部は円蓋状であり、前記透光部は前記第１波長変換部の外側に配置された円蓋状であり、前記第２波長変換部は前記透光部の外側に配置された円蓋状であることを特徴とする請求項１記載の発光装置。
【発明の詳細な説明】
【技術分野】
【０００１】
本発明は、発光装置に関する。
【背景技術】
【０００２】
ＬＥＤ（Light Emitting Diode）などの発光素子を用いた高効率、高光束の白色の発光装置が注目されている。このような発光装置では、例えば、ＬＥＤから出射された紫色〜青色の発光を、蛍光体によって波長変換して他の色の光を生成することにより、白色光を得る。【０００３】
このような発光装置において、演色性を高めるために、緑色の蛍光体層と、赤色の蛍光体層と、を積層させる技術が開示されている（例えば、特許文献１参照）。しかし、この技術を用いた場合においても発光効率の向上は不十分であり改良の余地がある。
【先行技術文献】
【特許文献】
【０００４】
【特許文献１】特開２００７−８０８７２号公報
【発明の概要】
【発明が解決しようとする課題】
【０００５】
本発明は、所望の発光色を高効率で発光する発光装置を提供する。
【課題を解決するための手段】
【０００６】
本発明の一態様によれば、光源光を出射する光源と、前記光源光を吸収し、前記光源光の波長とは異なる波長を有する第１光を放射する第１波長変換部と、前記第１波長変換部の前記光源とは反対の側に設けられ、前記光源光及び前記第１光を透過させる透光部と、前記透光部の前記第１波長変換部とは反対の側に設けられ、前記光源光及び前記第１光の少なくともいずれかを吸収し、前記光源光の前記波長とは異なり、前記第１光の波長とも異なる波長を有する第２光を放射する第２波長変換部と、を備え、前記光源光の一部は、前記第１波長変換部及び前記第２波長変換部の少なくともいずれかを通過せずに外部に取りだされることを特徴とする発光装置が提供される。
【発明の効果】
【０００７】
本発明によれば、所望の発光色を高効率で発光する発光装置が提供される。
【図面の簡単な説明】
【０００８】
【図１】第１の実施形態に係る発光装置を示す模式的断面図である。
【図２】発光装置の動作を示す模式図である。
【図３】発光装置を示す模式的断面図である。
【図４】発光装置を示す模式図である。
【図５】発光装置を示す模式図である。
【図６】発光装置を示す模式的断面図である。
【図７】発光装置を示す模式的断面図である。
【図８】発光装置を示す模式的断面図である。
【図９】第２の実施形態に係る発光装置を示す模式的断面図である。
【図１０】発光装置を示す模式的断面図である。
【図１１】発光装置の製造方法を示すフローチャート図である。
【図１２】発光装置の製造方法を示すフローチャート図である。
【図１３】発光装置の製造方法を示すフローチャート図である。
【図１４】発光装置の製造方法を示すフローチャート図である。
【図１５】発光装置の製造方法を示すフローチャート図である。
【図１６】発光装置の製造方法を示すフローチャート図である。
【図１７】発光装置の製造方法を示すフローチャート図である。
【図１８】発光装置の製造方法を示すフローチャート図である。
【図１９】発光装置の特性を示すグラフ図である。
【図２０】発光装置の色度を示すグラフ図である。
【発明を実施するための形態】
【０００９】
以下、本発明の実施の形態について図面を参照して詳細に説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【００１０】
（第１の実施の形態）
図１は、本発明の第１の実施形態に係る発光装置の構成を例示する模式的断面図である。  
図１に表したように、第１の実施形態に係る発光装置１１０は、光源光４１を出射する光源４０と、光源光４１が入射する第１波長変換部１０と、第１波長変換部１０の光源４０とは反対の側に設けられた透光部３０と、透光部３０の第１波長変換部１０とは反対の側に設けられた第２波長変換部２０と、を備える。  
すなわち、透光部３０は、第１波長変換部１０と第２波長変換部２０との間に設けられ、第１波長変換部１０は、光源４０と第２波長変換部２０との間に設けられる。
【００１１】
第１波長変換部１０は、光源光４１を吸収し、光源光４１の波長とは異なる波長を有する第１光１１を放射する。
【００１２】
透光部３０は、光源光４１及び第１光１１を透過させる。
【００１３】
第２波長変換部２０は、光源光４１及び第１光１１の少なくともいずれかを吸収し、光源光４１の波長とは異なり、第１光１１の波長とも異なる波長を有する第２光２１を放射する。
【００１４】
そして、光源光４１の一部は、第１波長変換部１０及び第２波長変換部２０の少なくともいずれかを通過せずに外部に取りだされる。
【００１５】
例えば、本具体例においては、透光部３０は、第２波長変換部２０に覆われた第１領域Ｒ１と、第２波長変換部２０に覆われていない第２領域Ｒ２と、を有する。
【００１６】
例えば、第２波長変換部２０に覆われていない第２領域Ｒ２は、透光部３０の第２波長変換部２０に対向する主面３０ｍの一部、及び、透光部３０の側面３０ｓの少なくとも一部、の少なくともいずれかを含む。なお、透光部３０の側面３０ｓは、例えば、透光部３０の主面３０ｍと接する面であり、主面３０ｍに対向しない面である。
【００１７】
本具体例の発光装置１１０では、第２領域Ｒ２は、透光部３０の側面３０ｓを含む。すなわち、透光部３０の側面３０ｓは、第２波長変換部２０に覆われていない。  
これにより、光源光４１の一部は、第２波長変換部２０を通過せずに外部に取りだされる。
【００１８】
また、第１波長変換部１０は、第２波長変換部２０に覆われた第３領域Ｒ３と、第２波長変換部２０に覆われていない第４領域Ｒ４と、を有することができる。そして、第４領域Ｒ４は、第１波長変換部１０の透光部３０に対向する主面１０ｍの一部、及び、第１波長変換部１０の側面１０ｓの少なくとも一部、の少なくともいずれかを含むことができる。  
本具体例の発光装置１１０では、第４領域Ｒ４は、第１波長変換部１０の側面１０ｓを含む。すなわち、第１波長変換部１０の側面１０ｓは、第２波長変換部２０に覆われていない。
【００１９】
第１波長変換部１０は、例えば、樹脂層と、樹脂層に分散された第１蛍光体１０ａと、を有する。第１蛍光体１０ａは、第１光１１を放射する。  
第２波長変換部２０は、例えば、樹脂層と、樹脂層に分散された第２蛍光体２０ａと、を有する。第２蛍光体２０ａは、第２光２１を放射する。
【００２０】
例えば、第２光２１の波長は、第１光１１の波長よりも長いことが望ましい。また、第１光１１の波長は、光源光４１の波長よりも長いことが望ましい。光源光４１は、紫外光〜青色光であり、第１光１１は、例えば緑色光〜黄色光であり、第２光２１は、例えば赤色光である。ただし、本発明はこれに限らず、光源光４１、第１光１１及び第２光２１の波長及び波長分布は任意である。
【００２１】
透光部３０は、光源光４１と第１光１１とに対して透光性を有していれば良い。透光部３０には、例えば、蛍光体を含まない透明なシリコーン樹脂などの樹脂層を用いることができる。また、透光部３０として、空気や窒素などの気体層や、真空層等を用いることもできる。また、後述するように、透光部３０として、第１波長変換部１０と第２波長変換部２０とを互いに固定する支持体と、支持体の周囲に設けられる例えば空気層と、を含む複合体を用いても良い。  
以下では、透光部３０として、透明な樹脂を用いる場合として説明する。
【００２２】
なお、本具体例の発光装置１１０においては、パッケージ６０の凹部６０ｒの底部に光源４０が設置される。パッケージ６０は、第１電極６２ａと第２電極６２ｂとが設けられた基板６１を有し、例えば基板６１の第１電極６２ａの上に、光源４０が配置され、例えば光源４０の下面に設けられた電極と、基板６１の第１電極６２ａとが電気的に接続される。一方、光源４０の他方の電極と、基板６１の第２電極６２ｂと、が、例えば配線４３によって電気的に接続される。例えば、第１電極６２ａと第２電極６２ｂとを介して、光源４０に電力を供給することで、光源４０は発光し、光源光４１を出射する。
【００２３】
本具体例では、パッケージ６０の凹部６０ｒの内部には、光源光４１を透過させる透光層５０が設けられており、光源光４１は、透光層５０を通過して、第１波長変換部１０に入射する。透光層５０には、透明なシリコーン樹脂などの樹脂層を用いることができる。また、透光層５０として、空気や窒素などの気体層や、真空層等を用いることもできる。以下では、透光層５０として、透明な樹脂を用いる場合として説明する。
【００２４】
すなわち、発光装置１１０においては、光源光４１は、透光層５０を通過して、第１波長変換部１０、透光部３０及び第２波長変換部２０の積層構造体に入射する。
【００２５】
このような構造の発光装置１１０によれば、所望の発光色を高効率で発光する発光装置が提供できる。
【００２６】
図２は、本発明の第１の実施形態に係る発光装置の動作を例示する模式図である。  
図２に表したように、光源４０から放射された光源光４１は、第１波長変換部１０に到達する。第１波長変換部１０において、光源光４１の一部の光４１ａは、第１蛍光体１０ａによって波長が変換され、これにより第１光１１が放射される。
【００２７】
第１光１１の一部の光１１ａは、透光部３０に入射する。  
透光部３０に入射した第１光１１ａのうちの一部の光１１ｃは、第２波長変換部２０に入射する。一方、透光部３０に入射した第１光１１ａのうちの他の一部の光１１ｄは、第２波長変換部２０に到達せずに、透光部３０の第２領域Ｒ２である側面３０ｓから、外界に出射する。
【００２８】
第１光１１のうちの他の一部の光１１ｂは、透光部３０に到達せずに、第１波長変換部１０の第４領域Ｒ４である側面１０ｓから、外界に出射する。
【００２９】
一方、第１波長変換部１０に入射した光源光４１のうちの他の一部の光４１ｂのうちの一部の光４１ｃは、透光部３０に入射する。  
そして、光４１ｂのうちの他の一部の光４１ｄは、透光部３０に到達せずに、第１波長変換部１０の第４領域Ｒ４である側面１０ｓから、外界に出射する。
【００３０】
透光部３０に入射した光４１ｃのうちの一部の光４１ｅは、透光部３０を通過して第２波長変換部２０に到達する。そして、光４１ｃのうちの他の一部の光４１ｆは、第２波長変換部２０に到達せずに、透光部３０の第２領域Ｒ２である側面３０ｓから、外界に出射する。
【００３１】
第２波長変換部２０に到達した光４１ｅのうちの一部の光４１ｇは、第２波長変換部２０の第２蛍光体２０ａによって波長変換され、これにより、第２光２１が放射される。この第２光２１のうちの一部の光２１ａが、第２波長変換部２０の主面２０ｍから出射し、第２光２１のうちの他の一部の光２１ｂが、第２波長変換部２０の側面２０ｓから出射する。
【００３２】
また、第２波長変換部２０に到達した光４１ｅのうちの他の一部の光４１ｈは、第２波長変換部２０で変換されることなく、第２波長変換部２０から出射する。例えば、光４１ｈのうちの一部の光４１ｉは、第２波長変換部２０の主面２０ｍから出射し、光４１ｈのうちの他の一部の光４１ｊは、第２波長変換部２０の側面２０ｓから出射する。
【００３３】
一方、第２波長変換部２０に入射する第１光１１のうちの一部の光１１ｃのうちの一部の光１１ｅは、第２波長変換部２０の第２蛍光体２０ａによって波長変換され、これにより、第２光２１が放射される。第１光１１に基づく第２光２１のうちの一部の光２１ｃは、第２波長変換部２０の主面２０ｍから出射し、また、他の一部の光２１ｄは、第２波長変換部２０の側面２０ｓから出射する。
【００３４】
また、第２波長変換部２０に到達した光１１ｃのうちの他の一部の光１１ｆは、第２波長変換部２０で変換されることなく、第２波長変換部２０から出射する。例えば、光１１ｆのうちの一部の光１１ｇは、第２波長変換部２０の主面２０ｍから出射し、光１１ｆのうちの他の一部の光１１ｈは、第２波長変換部２０の側面２０ｓから出射する。
【００３５】
このように、第２波長変換部２０は、光源光４１及び第１光１１の少なくともいずれかを吸収して第２光２１を放射する。なお、光源光４１に基づく第２光２１（光２１ａ及び光２１ｂ）の波長スペクトルと、第１光１１に基づく第２光２１（光２１ｃ及び光２１ｄ）の波長スペクトルと、で若干の違いが発生することがあるが、実質的には同じ色調であり、これらは同じ波長スペクトルであると見なせる。
【００３６】
このように、本実施形態に係る発光装置１１０においては、透光部３０が、第２波長変換部２０に覆われている第１領域Ｒ１の他に、第２波長変換部２０に覆われていない第２領域Ｒ２を有しているので、光源光４１のうち一部の光４１ｆが第２領域Ｒ２から出射できる。そして、第１光１１のうちの一部の光１１ｄが、第２領域Ｒ２から出射できる。
【００３７】
さらに、本具体例では、第１波長変換部１０が、第２波長変換部２０に覆われている第３領域Ｒ３の他に、第２波長変換部２０に覆われていない第４領域Ｒ４を有しているので、光源光４１の一部の光４１ｄが第４領域Ｒ２から出射できる。そして、第１光１１のうちの一部の光１１ｂが、第４領域Ｒ４から出射できる。
【００３８】
ここで、発光装置１１０の外部に放射される光源光４１は、光４１ｄ、光４１ｆ、光４１ｉ及び光４１ｊである。  
また、発光装置１１０の外部に放射される第１光１１は、光１１ｂ、光１１ｄ、光１１ｇ及び光１１ｈである。
【００３９】
透光部３０の全てが第２波長変換部２０によって覆われ、そして、第１波長変換部１０の全てが第２波長変換部２０によって覆われている比較例の場合には、発光装置の外部に放射される光源光４１は、光４１ｉ及び光４１ｊとなる。そして、発光装置の外部に放射される第１光１１は、光１１ｇ及び光１１ｈである。この比較例の場合には、光源光４１及び第１光１１は、第２波長変換部２０を介して外界に出射されるため、第２波長変換部２０においてエネルギーが損失される。すなわち、第２波長変換部２０に入射した光源光４１及び第１光１１の一部は、第２蛍光体２０ａによって吸収されて波長変換されるが、他の一部は第２波長変換部２０において波長変換されることなく吸収されてしまう。このため、エネルギーが損失される。
【００４０】
これに対し、本実施形態に係る発光装置１１０においては、光源光４１の一部及び第１光１１の一部が、透光部３０の第２領域Ｒ２から出射でき、さらに、第１波長変換部１０の第４領域Ｒ２からも出射できるため、第２波長変換部２０において吸収される光の量が低減し、結果としてエネルギー損失が抑制される。  
これにより、所望の発光色を高効率で発光する発光装置が提供できる。
【００４１】
なお、本具体例では、透光部３０が第２領域Ｒ２を有しつつ、第１波長変換部１０が第４領域Ｒ４を有している例であるが、本発明はこれに限らず、透光部３０が第２領域Ｒ２を有していれば良い。
【００４２】
なお、第２波長変換部２０においては、光源光４１及び第１光１１の少なくともいずれかが吸収され、第２光２１が放射されるが、第２光２１の生成の効率の向上のためには、第１光１１に基づく第２光２１の成分よりも、光源光４１に基づく第２光２１の成分が多い方が望ましい。すなわち、第２波長変換部２０は、主として光源光４１を吸収し、第２光２１を放射することが望ましい。ただし、本発明はこれに限らず、第２波長変換部２０が、光源光４１によって励起されるのではなく、第１光１１によって励起される構成であり、これによって第２光を出射しても良い。この場合においても、第２波長変換部２０を通過しない光源光４１を透光部３０の第２領域Ｒ２から直接取り出すことで、エネルギー損失を抑制できる。
【００４３】
また、上記においては、光源４０の側から第２波長変換部２０に向けた方向における光の進行について説明したが、第１波長変換部１０の光源４０側の界面、第１波長変換部１０と透光部３０との界面、透光部３０と第２波長変換部２０との界面、第２波長変換部２０の外界の側の界面等における反射、並びに、第１波長変換部１０、透光部３０及び第２波長変換部２０の内部における散乱など、によって、各光は、光源４０の側から第２波長変換部２０に向けた方向以外の方向にも進行する。このような各種の方向に進行する光も、透光部３０の第２領域Ｒ２から取り出すことができ、効率が向上する。
【００４４】
光源光４１のうちで第２波長変換部２０に入射する光の量と、光源光４１のうちで透光部３０の第２領域Ｒ２から出射する光の量との比率は、例えば、光源４０から出射する光源光４１の放射特性及び配向分布、第１波長変換部１０における散乱特性等、並びに、透光部３０の厚さ（第１波長変換部１０、透光部３０及び第２波長変換部２０の積層方向に沿った長さ）を制御することによって制御できる。
【００４５】
例えば、光源４０から出射する光源光４１が外に広がるように放射される場合、透光部３０の厚さを厚くすると、光源光４１のうちで透光部３０の第２領域Ｒ２から出射する光の量が増加する。
【００４６】
なお、光源光４１と第１光１１と第２光２１とを合成して、例えば白色などの合成光を発生させる際に、光源光４１の損失に由来する発光効率の低下を抑制するためには、例えば、第２光２１を発生するために必要な最小限の光源光４１（及び第１光）を第２波長変換部２０に入射させて波長変換させつつ、合成光の成分として使われる光源光４１は、できる限り第２波長変換部２０を経由することなく外に放射されることが望ましい。
【００４７】
このためには、例えば、光源光４１が光源４０から外に広がるように放射されている場合には、透光部３０の厚さを十分に厚くすることが望ましい。
【００４８】
第１波長変換部１０及び第２波長変換部２０の厚さは、例えば１００μｍ（マイクロメートル）〜２００μｍとすることができる。透光部３０の厚さは、５０μｍ〜５００μｍとすることができる。ただし、本発明はこれに限らず、第１波長変換部１０、第２波長変換部２０及び透光部３０の厚さは、任意である。
【００４９】
なお、上述した、第２波長変換部２０に入射する光源光４１の量と、第２波長変換部２０に入射せずに直接取り出される光源光４１の量と、の比率の関係は、光源光４１と第２波長変換部２０との関係だけではなく、発光装置１１０から発生させる合成光の各成分と、発光装置１１０に含まれる全ての波長変換部との関係において成り立つ。例えば、光源光４１と第１波長変換部１０との関係、第１光１１と第２波長変換部２０との関係、第１光１１と第１波長変換部１０との関係、第２光２１と第１波長変換部１０との関係においても、同様の関係が成り立つ。
【００５０】
例えば、光源光４１のうち、第１波長変換部１０によって変換され第１光１１となるために必要な最小限の光源光４１が第１波長変換部１０に入射し、光源光４１として外に放射されるべき光源光４１は、できる限り第１波長変換部１０を経由せずに直接外に放射されることが望ましい。
【００５１】
同様に、第１光１１は、第２波長変換部２０に到達せずに直接外に放射されることが望ましい。また、第２光２１は、第１波長変換部１０に到達せずに直接外に放射されることが望ましい。  
第１光１１の第２波長変換部２０（第２蛍光体２０ａ）による吸収、及び、第２光２１の第１波長変換部１０（第１蛍光体１０ａ）による吸収は、一般に複数の蛍光体間の光の再吸収と呼ばれる現象であり、エネルギー損失となるため、避けることが望ましい。
【００５２】
この時、本実施形態に係る発光装置１１０においては、第１波長変換部１０と第２波長変換部２０との間に透光部３０を設けることによって、第１波長変換部１０及び第２波長変換部２０の一方から他方に入る光の量を少なくし、エネルギー損失を抑制することができる。
【００５３】
このように、発光装置１１０においては、異なる種類の蛍光体層（波長変換部）どうしの間に、透光部３０（例えば蛍光体を含まない光透過性層）を設けた積層構造により、長波長側で発光する蛍光体が他の蛍光体の発光を再吸収することに起因する発光効率の低下が抑制できる。
【００５４】
なお、第１波長変換部１０と第２波長変換部２０とを有し、これらの間に第１波長変換部１０と第２波長変換部２０とを接着する接着層をさらに有する構成においては、この接着層は両者を接着する機能を有していれば良いので、接着層の厚さは１０μｍ程度以下である。このように、接着層の厚さが１０μｍ程度以下の場合には、接着層の側面から取り出される光の量は著しく少ないため、上記の効果が得られにくい。
【００５５】
このため、本実施形態に係る発光装置１１０においては、第２領域Ｒ２が透光部３０の側面３０ｓである場合には、透光部３０の厚さは、５０μｍ〜５００μｍに設定されることが望ましい。すなわち、５０μｍよりも薄い時は、透光部３０の第２領域Ｒ２から取り出す光の量が少なくなり、効率の向上効果が小さくなる。また、５００μｍよりも厚い場合は、逆に第２波長変換部２０に入射する光の量が少なくなり、効率が低下する。
【００５６】
ただし、後述するように、第２領域Ｒ２は、透光部３０の側面３０ｓだけではなく、主面３０ｍに設けても良く、この場合は、透光部３０の厚さに関する上記の条件は、必ずしも満たされなくても良い。
【００５７】
図３は、本発明の第１の実施形態に係る別の発光装置の構成を例示する模式的断面図である。  
図３に表したように、本実施形態に係る別の発光装置１１０ａにおいては、図１に例示した発光装置１１０において、透光部３０が、第１波長変換部１０の一部と、前記第２波長変換部２０の一部と、に接触して設けられ、第２波長変換部２０を支持する支持体３２を有している。これにより、第１波長変換部１０と第２波長変換部２０との間には、支持体３２を除く部分に空隙３２ｇが設けられている。これ以外は、発光装置１１０と同様なので説明を省略する。
この場合、透光部３０は、支持体３２と、支持体３２の周囲に設けられた空隙３２ｇの例えば空気層と、の複合体と見なすことができる。
【００５８】
支持体３２の断面積（第１波長変換部１０、透光部３０及び第２波長変換部２０の積層方向に対して垂直な平面で切断したときの断面積）の透光部３０の主面３０ｍに対する比率が小さい場合は、第１波長変換部１０と第２波長変換部２０との間の透光部３０は、実質的に空隙３２ｇと見なすことができる。このように透光部３０は、実質的に空隙３２ｇであっても良い。この場合も、図２に関して説明した効果によって、所望の発光色を高効率で発光する発光装置が提供できる。
【００５９】
なお、このような透光部３０は、例えば、第１波長変換部１０及び第２波長変換部２０の少なくともいずれかの互いに対向する面に、例えば印刷やポッティングやインクジェットなどの任意の方法によって、支持体３２となる例えば接着剤などの樹脂母材を形成し、第１波長変換部１０と第２波長変換部２０とをその樹脂母材を介した状態で重ね合わせ、その樹脂母材を硬化させて、第１波長変換部１０と第２波長変換部２０とを支持体３２で接着して積層シートを作製することで形成できる。
【００６０】
そして、その積層シートを所定の大きさにカットすることで、積層シートの側面の部分が、透光部３０の側面３０ｓとなる。そして、このカットした積層シートを、パッケージ６０の上に貼り合わせることで、発光装置１１０ａが作製できる。
【００６１】
図４は、本発明の第１の実施形態に係る別の発光装置の構成を例示する模式図である。
すなわち、同図（ａ）は同図（ｂ）のＡ−Ａ’線断面図であり、同図（ｂ）は、模式的平面図である。
図４に表したように、本実施形態に係る別の発光装置１１１においては、第１波長変換部１０、透光部３０及び第２波長変換部２０は、ドーム状（円蓋状であり、例えば半球状）の形状を有している。そして、ドーム状の第１波長変換部１０の内側に光源４０が配置されている。なお、この場合も、光源４０と第１波長変換部１０との間には透光層５０が設けられている。この場合の透光層５０にも、蛍光体を含まない樹脂層や、空気や窒素などの気体層や、真空層等を用いることができる。
【００６２】
また、透光部３０にも、蛍光体を含まない樹脂層や、空気や窒素などの気体層や、真空層等を用いることもできる。また、発光装置１１０ａに関して説明したように、透光部３０は、支持体３２と、支持体３２の周囲に設けられた空隙３２ｇの例えば空気層と、の複合体の構成を有することもできる。
【００６３】
このような構成の発光装置１１１の場合も、透光部３０は、第２波長変換部２０に覆われた第１領域Ｒ１と、第２波長変換部２０に覆われていない第２領域Ｒ２と、を有する。さらに、第１波長変換部１０は、第２波長変換部２０に覆われた第３領域Ｒ３と、第２波長変換部２０に覆われていない第４領域Ｒ４と、を有する。
【００６４】
すなわち、発光装置１１１の第２波長変換部２０においては、ドーム状の形状の一部が切り取られ、その切り取られた部分において、透光部３０は、第２波長変換部２０に覆われていない。なお、この取られた部分は、第２波長変換部２０に設けられた孔２０ｈ（第２孔）である。この孔２０ｈは、例えば、第２波長変換部２０を第２波長変換部２０の厚さ方向で貫通する。
【００６５】
このように、ドーム状の波長変換部を有する発光装置１１１においても、透光部３０に第２波長変換部２０に覆われない第２領域Ｒ２を設けることで、図２に関して説明した効果によって、所望の発光色を高効率で発光する発光装置が提供できる。
【００６６】
なお、発光装置１１１においては、第１波長変換部１０の周縁（基板６１に対向する端部）は、基板６１に接しており、基板６１に例えば接着されている。また、透光部３０の周縁も基板に接している。
【００６７】
一方、第２波長変換部２０のうちの透光部３０を覆う部分の端部は、基板６１と接しているが、第２波長変換部２０のうちの透光部３０を覆わない部分の端部は、基板６１から離間している。
【００６８】
図５は、本発明の第１の実施形態に係る別の発光装置の構成を例示する模式図である。
すなわち、同図（ａ）は同図（ｂ）のＡ−Ａ’線断面図であり、同図（ｂ）は、模式的平面図である。
図５に表したように、本実施形態に係る別の発光装置１１１ａにおいては、図４に例示した発光装置１１１において、ドーム状の形状の第２波長変換部２０一部が切り取られ、その部分（孔２０ｈ）に、例えば蛍光体を含まない透光性の樹脂層３３が設けられている。これ以外は、発光装置１１１と同様なので説明を省略する。
【００６９】
この場合も、樹脂層３３が設けられた部分に、透光部３０の第２領域Ｒ２（第２波長変換部２０に覆われていない領域）が配置される。
【００７０】
そして、光源光４１の一部の光は、第２波長変換部２０を通過せずに、外部に取り出される。
【００７１】
このように、第２波長変換部２０は、第２波長変換部２０を第２波長変換部２０の厚さ方向で貫通する孔２０ｈを有することができる。そして、発光装置１１１ａは、この孔２０ｈに埋め込まれ、光源光４１を通過させる樹脂層３３をさらに備えることができる。
【００７２】
なお、樹脂層３３は、透光部３０とは別体と見なすことができる。  
また、樹脂層３３を、透光部３０の一部と見なしても良く、この場合には、第２波長変換部２０に切り取られた部分（孔２０ｈ）が設けられ、この切り取られた部分（孔２０ｈ）の中に、透光部３０の一部である樹脂層３３が突出していると見なすことができる。
【００７３】
このような樹脂層３３を設けることで、第１波長変換部１０及び光源４０は、第２波長変換部２０または樹脂層３３と、基板６１と、によって密閉されるので、耐湿性などが改善でき、信頼性を向上することができる。
【００７４】
図６は、本発明の第１の実施形態に係る別の発光装置の構成を例示する模式的断面図である。  
図６に表したように、本実施形態に係る別の発光装置１１０ｂにおいては、図３に例示した発光装置１１０ａにおいて、第１波長変換部１０、透光部３０及び第２波長変換部２０のそれぞれの側面に、例えば蛍光体を含まない透光性の樹脂層３３が設けられている。これ以外は、発光装置１１０ａと同様なので説明を省略する。
【００７５】
例えば、透光部３０が、支持体３２と、支持体３２の周囲に設けられた空隙３２ｇの例えば空気層と、の複合体の構成を有している場合、空気層が外部に露出していると、外部の水分などが透光部３０に侵入し、透光部３０の内部で結露などの現象が生じ、効率を低下させ、また、信頼性を低下させることがあるが、このように、透光部３０の側面３０ｓに透光性の樹脂層３３を設けることで、これらを抑制することができ、より好ましい。
【００７６】
なお、図１に例示した発光装置１１０において、第１波長変換部１０、透光部３０及び第２波長変換部２０のそれぞれの側面に、透光性の樹脂層３３を設けても良い。
【００７７】
図７は、本発明の第１の実施形態に係る別の発光装置の構成を例示する模式的断面図である。  
図７に表したように、本実施形態に係る別の発光装置１１２においては、図１に例示した発光装置１１０において、第２波長変換部２０を厚さ方向で貫通する孔２０ｈが、第２波長変換部２０に設けられている。これ以外は、発光装置１１０と同様なので説明を省略する。
【００７８】
すなわち、発光装置１１２においては、第２波長変換部２０の孔２０ｈの部分では、透光部３０は第２波長変換部２０に覆われていない。このように、孔２０ｈに対応する透光部３０の部分にも第２領域Ｒ２は配置される。すなわち、第２領域Ｒ２は、透光部３０の第２波長変換部２０に対向する主面３０ｍの一部、及び、透光部３０の側面３０ｓを含む。
【００７９】
なお、本具体例では、第２領域Ｒ２が、透光部３０の主面３０ｍの一部と、透光部３０の側面３０ｓの両方を含む場合であるが、第２領域Ｒ２は、側面３０ｓを含まず、主面３０ｍの一部を含む構成でも良い。すなわち、第２波長変換部２０は、透光部３０の側面３０ｓを覆いつつ、第２波長変換部２０に孔２０ｈが設けられ、透光部３０の主面３０ｍの一部が第２波長変換部２０に覆われない構成でも良い。
【００８０】
なお、このような孔２０ｈを有する第２波長変換部２０は、例えば、第２波長変換部２０をシート状に形成する際に、突起を有する型や針などを用いて第２波長変換部２０に孔２０ｈを形成することで作製できる。そして、その後、孔２０ｈを有する第２波長変換部２０を透光部３０を介して第１波長変換部１０に貼り合わせる手法を採用することができる。
【００８１】
また、第１波長変換部１０、透光部３０及び第２波長変換部２０の積層シートを形成した後に、第２波長変換部２０に突起を有する型や針などで孔２０ｈを形成することもできる。
【００８２】
さらに、第２波長変換部２０をレーザ加工することによって、第２波長変換部２０に孔２０ｈを形成しても良い。
【００８３】
発光装置１１０に関して説明したように、透光部３０の厚さは、発光装置の仕様などによって制限されるので、透光部３０の厚さを厚くすることによる効率の向上に制限が生じる場合があるが、本具体例の発光装置１１２のように、第２波長変換部２０に孔２０ｈを設けることで、第２波長変換部２０を通過しない例えば光源光４１の光の量を増加させることができ、これにより、さらに効率を高めることができる。
【００８４】
また、孔２０ｈの面積、位置、大きさ及び数などによって、例えば第２波長変換部２０に入射する光源光４１の量と、第２波長変換部２０に入射しないで直接外に取り出される光源光４１の量と、の比率を調節し、発光装置から出射する光の色度を調節することもできる。
【００８５】
図８は、本発明の第１の実施形態に係る別の発光装置の構成を例示する模式的断面図である。  
図８（ａ）に表したように、本実施形態に係る別の発光装置１１３ａにおいては、図４に例示した発光装置１１１の構成において、第１波長変換部１０の周縁及び第２波長変換部２０の周縁は、基板６１に接しており、基板６１に例えば接着され、そして、第２波長変換部２０には、第２波長変換部２０を厚さ方向で貫通する孔２０ｈが設けられている。これ以外は、発光装置１１１と同様とすることができるので説明を省略する。
【００８６】
図８（ｂ）に表したように、本実施形態に係る別の発光装置１１３ｂにおいては、発光装置１１３ａにおいて、第２波長変換部２０の孔２０ｈの部分に、例えば蛍光体を含まない透明な樹脂層３３が設けられている。この樹脂層３３は、透光部３０とは別体と見なすことができ、また、樹脂層３３を、透光部３０の一部と見なしても良い。
【００８７】
このような構成の発光装置１１３ａ及び１１３ｂによっても、図２に関して説明した効果によって、所望の発光色を高効率で発光する発光装置が提供できる。
【００８８】
また、孔２０ｈの面積、位置、大きさ及び数などによって、発光装置から出射する光の色度を調節することもできる。
【００８９】
（第２の実施の形態）
図９は、本発明の第２の実施形態に係る発光装置の構成を例示する模式的断面図である。  
図９（ａ）に表したように、本発明の第２の実施形態に係る発光装置１２０ａにおいては、図１に例示した発光装置１１０の構成において、第１波長変換部１０には、第１波長変換部１０を第１波長変換部１０の厚さ方向で貫通する孔１０ｈ（第１孔）が設けられる。これ以外は、発光装置１１０と同様なので説明を省略する。  
これにより、光源光４１の一部は、第１波長変換部１０を通過せずに外部に取りだされる。
【００９０】
この第１波長変換部１０の孔１０ｈは、透光領域１０ｔとなる。すなわち、透光領域１０ｔは、例えば、第１波長変換部１０を第１波長変換部１０の厚さ方向で貫通する。
【００９１】
透光領域１０ｔは、例えば蛍光体を含まない領域であり、第１波長変換部１０の透光領域１０ｔ以外の部分よりも光源光４１に対して相対的に透過率が高い領域である。すなわち、透光領域１０ｔは、第１波長変換部１０に設けられる孔１０ｈであっても良く、また、透光領域１０ｔは、第１波長変換部１０に設けられる孔１０ｈに埋め込まれ、蛍光体を含まない例えば透明な樹脂層であっても良い。
【００９２】
このように、第１波長変換部１０に透光領域１０ｔを設けることで、光源光４１のうちの一部の光（例えば図２に例示した光４１ｂや光４１ｃなど）は、第１波長変換部１０を通過することなく、透光部３０及び第２波長変換部２０に入射できる。
【００９３】
これにより、第１波長変換部１０中の第１蛍光体１０ａを含む領域において発生する光源光４１のエネルギー損失を抑制できる。これにより、所望の発光色を高効率で発光する発光装置が提供できる。
【００９４】
なお、本具体例においては、透光部３０が、第２波長変換部２０に覆われた第１領域Ｒ１と、第２波長変換部２０に覆われていない第２領域Ｒ２と、を有することと、第１波長変換部１０が上記の透光領域１０ｔを有することと、が同時に実施されているが、本実施形態においては、第１波長変換部１０が上記の透光領域１０ｔ（例えば孔１０ｈ）を有していれば、上記の効果が発揮できる。
【００９５】
図９（ｂ）に表したように、本実施形態に係る別の発光装置１２０ｂにおいては、上記の発光装置１２０ａの構成において、第２波長変換部２０が、孔２０ｈを有する例である。  
このように、第１波長変換部１０に透光領域１０ｔを設けつつ、第２波長変換部２０に孔２０ｈを設けることもできる。
【００９６】
このような発光装置１２０ｂにおいては、光源光４１の一部は、第１波長変換部１０及び第２波長変換部２０の両方を通過せずに外部に取りだされる。
【００９７】
図１０は、本発明の第２の実施形態に係る別の発光装置の構成を例示する模式的断面図である。  
図１０（ａ）に表したように、本実施形態に係る別の発光装置１２１ａにおいては、図８に例示した発光装置１１３ａの構成において、第２波長変換部２０に孔２０ｈが設けられる代わりに、第１波長変換部１０に透光領域１０ｔが設けられている。本具体例では、透光領域１０ｔとして、第１波長変換部１０に孔１０ｈが設けられている。これ以外は、発光装置１１３ａと同様なので説明を省略する。
【００９８】
図１０（ｂ）に表したように、本実施形態に係る別の発光装置１２１ｂにおいては、発光装置１２１ａの構成において、第１波長変換部１０の透光領域１０ｔとして、樹脂層１３が用いられたものである。樹脂層１３は、蛍光体を含まず、第１波長変換部１０のうちの第１蛍光体１０ａを含む領域よりも相対的に透過率が高い透明な層である。これ以外は、発光装置１２１ａと同様なので説明を省略する。
【００９９】
すなわち、第１波長変換部１０は、第１波長変換部１０を第１波長変換部１０の厚さ方向で貫通する孔１０ｈを有することができ、発光装置１２１ｂは、この孔１０ｈに埋め込まれ、光源光４１を通過させる樹脂層１３をさらに備えることができる。
【０１００】
このような、発光装置１２１ａ及び１２１ｂにおいても、第１波長変換部１０中の第１蛍光体１０ａを含む領域において発生する光源光４１のエネルギー損失を抑制でき、これにより、所望の発光色を高効率で発光する発光装置が提供できる。
【０１０１】
なお、透光領域１０ｔ（孔１０ｈ及び樹脂層１３の少なくともいずれか）の面積、位置、大きさ及び数などによって、発光装置から出射する光の色度を調節することもできる。
【０１０２】
上記の第１及び第２の実施形態に係る各種の発光装置に用いられる光源４０としては、少なくとも蛍光体を励起することが可能な波長の光を発光する光源が使用できる。  
光源４０の発光波長の範囲は、第１波長変換部１０に用いる第１蛍光体１０ａ及び第２波長変換部２０の第２蛍光体２０ａにおいて強く励起される波長領域や、発光装置から発生させる光の色や波長範囲などによって、適切に定めることができる。
【０１０３】
例えば、発光装置として白色光を得る際に、紫外〜紫色の波長の光を発光する光源４０と、光源４０から出射される光源光４１によって励起されて発光色がそれぞれ青色、緑色、赤色となる３種類の蛍光体と、を組み合わせて用いることができる。  
また、例えば、発光装置として白色光を得る際には、青色の波長の光を発光する光源４０と、青色の光によって励起されて発光色が黄色となる蛍光体と、を組み合わせて用いることもできる。  
また、例えば、発光装置として白色光を得る際には、青色の波長の光を発光する光源４０と、青色の光によって励起されて発光色が緑色となる蛍光体と、赤色となる蛍光体と、を組み合わせて用いることもできる。  
また、その他種々の組み合わせを用いることができる。
【０１０４】
光源４０に用いることができる、紫外、近紫外、紫色、青紫色、青色などの発光が得られる光源の例としては、それらの色の炎を有する燃焼光源、それらの色を発光する各種放電管（例えば水銀、アルゴンまたはインジウムハロゲン化物を用いたものなど）、それらの色を発光する各種無機ＥＬ（例えば硫化亜鉛を用いたものなど）、それらの色を発光する各種有機ＥＬ（例えばフルオレンポリマーを用いたものなど）、光学スリットやレンズまたはカラーフィルターなどによって他の光源からそれらの色の波長領域のみを抽出したもの、並びに、それらの色を発光する半導体発光素子などが挙げられる。
【０１０５】
この中でも、高いエネルギー効率の観点から、光源４０には半導体発光素子を用いることが好ましい。  
半導体発光素子の中でも高いエネルギー効率を有するものとして、ＩＩＩ−Ｖ族化合物半導体、特にＡｌｘＧａｙＩｎ１−ｘ−ｙＮを発光層として用いた、紫外、近紫外、紫色、青紫色または青色の発光を有するＬＥＤ素子またはレーザ発光素子を、光源４０として用いることが好ましい。そのような素子の具体例は、特許第３１８２３４６号、特許第３３００６５７号などに記載されている。
【０１０６】
一方、第１及び第２の実施形態に係る発光装置に用いられる第１蛍光体１０ａ及び第２蛍光体２０ａは、光源４０から出射された光源光４１によって励起される蛍光体を用いることができ、発光波長や物性は任意である。なお、既に説明したように、第２蛍光体２０ａは、第１蛍光体１０ａによって放射された第１光１１によっても励起される蛍光体であっても良い。
【０１０７】
紫外、近紫外、紫色、青紫色または青色の発光を有する光源４０を用い、発光装置から発光する光として、白色発光や可視光を得る場合には、第１蛍光体１０ａ及び第２蛍光体２０ａとして、例えば以下に示す蛍光体を用いることができる。
【０１０８】
（１）Ｃｅ、Ｄｙ、Ｇｄ、Ｅｕ、Ｌａ、Ｐｒ、Ｓｍ、Ｔｂ、Ｔｍ、Ａｌ、Ｂａ、Ｂｉ、Ｃａ、Ｃｄ、Ｇａ、Ｇｅ、Ｈｇ、Ｉｎ、Ｌｉ、Ｍｇ、Ｎａ、Ｓｂ、Ｓｉ、Ｓｎ、Ｓｒ、Ｔｌ、Ｚｎ、Ａｇ、Ｃｒ、Ｃｕ、Ｉｒ、Ｍｎ、Ｐｔ、Ｔａ、Ｔｉ、Ｖ、Ｗ、Ｙ、などの金属が含有された、金属錯体、酸化物、縮合酸化物、窒化物、酸窒化物、硫化物、酸硫化物、ハロゲン化物、リン化物、セレン化物、オキソ酸塩（アルミン酸塩、ケイ酸塩、バナジン酸塩、ホウ酸塩、リン酸塩及びそれらの一部をハロゲンに置換したもの、並びに、それらの複合塩など）、及び、それらの複合体、  
（２）炭化水素基を有する、ペリレン系、アントラキノン系、レーキ系、アゾ系、キナクリドン系、アントラセン系、イソインドリン系、イソインドリノン系、フタロシアニン系、トリフェニルメタン系、インダンスロン系、インドフェノール系、シアニン系、ジオキサジン系、ピリジン−フタルイミド縮合誘導体系、ベンゾオキサゾール系、ベンゾオキサジノン系、キナゾリノン系、クマリン系、キノフタロン系、ナフタル酸イミド系、スチリル系、クマリン系、ピラゾリン系、トリアゾール系などの有機蛍光顔料色素または有機染料色素、及び、それらの複合体。
【０１０９】
具体的な例を下にいくつか挙げる。ここでカンマ「，」で区切ったものは、それらの元素のうち少なくとも１つ以上を含んでいれば良く、どの元素を含むかにより、また２つ以上含む場合はその組成比率により、発光波長、吸収率、量子効率が調整可能である。また、粒子状蛍光体は、その粒径及び表面形状によって、発光波長や吸収率や量子効率が調整可能である。また、結晶性物質の場合は、その欠陥の度合いによって、発光波長や吸収率や量子効率が調整可能である。
【０１１０】
（Ｂａ，Ｅｕ，Ｓｒ）（Ｍｇ，Ｍｎ）Ａｌ１０Ｏ１７ 
（Ｂａ，Ｃａ，Ｍｇ，Ｓｒ）１０（ＰＯ４）６Ｃｌ２：Ｅｕ  
（Ｂａ，Ｃａ，Ｓｒ）ＳｉＯ４：Ｅｕ  
（Ｂａ，Ｃａ，Ｍｇ，Ｓｒ）ＡｌＳｉＮ３：Ｅｕ  
（Ｂａ，Ｃａ，Ｓｒ）２Ｓｉ５Ｎ８：Ｅｕ  
（Ｂａ，Ｃａ，Ｍｇ，Ｓｒ）５（ＰＯ４）３Ｃｌ：Ｅｕ，Ｍｎ  
（Ｂａ，Ｓｒ）３ＭｇＳｉ２Ｏ８：Ｅｕ，Ｍｎ  
（Ｃａ，Ｓｒ）（Ａｌ，Ｇａ）２Ｓ４：Ｅｕ，Ｔｂ  
（Ｃａ，Ｍｇ，Ｓｒ）３Ｓｃ２Ｓｉ３Ｏ１２：Ｃｅ  
（Ｃａ，Ｍｇ，Ｓｒ）９Ｓｉ４Ｏ１６Ｃｌ２：Ｅｕ  
（Ｙ，Ｇｄ）３（Ａｌ，Ｇａ）５Ｏ１２：Ｃｅ，Ｅｕ，Ｔｂ  
（Ｙ，Ｌａ，Ｇｄ，Ｅｕ）２（Ｏ，Ｓ）３：Ｅｕ，Ｔｂ  
（Ｙ，Ｇｄ）ＢＯ３：Ｃｅ，Ｅｕ  
（Ｚｎ，Ｍｎ）２ＳｉＯ４：Ｍｎ  
（Ｍｇ，Ｚｎ，Ｃｄ）（Ｏ，Ｓ，Ｓｅ）  
（Ｚｎ，Ｃｄ）Ｓ：Ａｇ，Ｃｕ，Ａｌ  
（Ａｌ，Ｇａ，Ｉｎ）（Ｎ，Ｐ，Ａｓ）  
ＢａＡｌ１２Ｏ１９：Ｍｎ  
ＢａＭｇ２Ａｌ１６Ｏ２７：Ｅｕ  
ＬａＰＯ４：Ｃｅ，Ｔｂ  
ＬｉＥｕＷ２Ｏ８ 
ＳｉＡｌ２Ｏ２Ｎ２：Ｅｕ  
Ｙ２ＳｉＯ５：Ｔｂ  
ＹＶＯ４：Ｅｕ
この他、組成式が（ＳｒｘＣａｙＢａｚ）ａＳｉｂＡｌｃＯｄＮｅで表される母体（ただしｘ＋ｙ＋ｚ＝１、２ａ＋４ｂ＋３ｃ＝２ｄ＋３ｅ）に発光中心元素として希土類金属が賦活された蛍光体などがあげられる。
【０１１１】
また、第１波長変換部１０及び第２波長変換部２０は、光反射率、励起光吸収率、発光の色ムラ、輝度ムラ、放熱性などを改善する目的で、これらの蛍光体に、ＳｉＯ２、Ａｌ２Ｏ３、Ｉｎ２Ｏ３、ＳｎＯ２、ＴｉＯ２、ＺｎＯ、ＺｒＯ２、ＡｌＮ、などのセラミックスやその複合体（例えばＡｌａＳｉｂＮｃＯｄ、ＩｎｘＳｎｙＯｚなど）が混合されたものを含むことができる。
【０１１２】
透光部３０として、空気層や、光透過性を有するガラス材料やシリコーン樹脂等を用いることができる。また、既に説明したように、透光部３０は第２波長変換部２０を支持する支持体３２を有することができ、支持体３２としては、例えば、シリコーン樹脂等の各種の樹脂を用いることができる。
【０１１３】
（第３の実施の形態）
以下、本発明の実施形態に係る発光装置の製造方法の例を説明する。  
すなわち、以下の製造方法は、光源光４１を出射する光源４０と、光源光４１を吸収し、光源光４１の波長とは異なる波長を有する第１光１１を放射する第１波長変換部１０と、第１波長変換部１０の光源４０とは反対の側に設けられ、光源光４１及び第１光１１を透過させる透光部３０と、透光部３０の第１波長変換部１０とは反対の側に設けられ、光源光４１及び第１光１１の少なくともいずれかを吸収し、光源光４１の波長とは異なり、第１光１１の波長とも異なる波長を有する第２光２１を放射する第２波長変換部２０と、を有する発光装置の製造方法である。
【０１１４】
図１１は、本発明の第３の実施形態に係る発光装置の製造方法を例示するフローチャート図である。  
図１１に表したように、本実施形態に係る製造方法は、第１波長変換部１０と、第１波長変換部１０に対向する透光部３０と、透光部３０に対向する第２波長変換部２０と、を形成する工程を備える。
【０１１５】
すなわち、本製造方法は、例えば、第１波長変換部１０を形成する工程（ステップＳ１１０）と、透光部３０を形成する工程（ステップＳ１２０）と、第２波長変換部２０を形成する工程（ステップＳ１３０）と、を備える。
【０１１６】
ここで、上記のステップＳ１１０〜ステップＳ１３０の順序は、技術的に可能な限り入れ替えが可能であり、また、複数の工程が同時に実施されても良い。  
例えば、まず、第１波長変換部１０を形成し（ステップＳ１１０）、第１波長変換部１０の上に透光部３０を形成し（ステップＳ１２０）、透光部３０の上に第２波長変換部２０を形成（ステップＳ１３０）しても良い。
【０１１７】
そして、上記の第２波長変換部２０の形成（ステップＳ１３０）は、透光部３０の一部を覆いつつ、透光部３０の他の一部を露出させる、及び、第１波長変換部１０の形成（ステップＳ１１０）は、第１波長変換部１０に、光源光４１を透過させる透光領域１０ｔを形成する、の少なくともいずれかとされる。
【０１１８】
そして、例えば、このような第１波長変換部１０、透光部３０及び第２波長変換部２０の積層構造体を、光源４０の上に配置する（ステップＳ１４０）。
【０１１９】
なお、上記のステップＳ１１０〜ステップＳ１４０の順序は、技術的に可能な限り入れ替えが可能であり、また、複数の工程が同時に実施されても良い。
【０１２０】
例えば、第２波長変換部２０の形成（ステップＳ１３０）が、透光部３０の一部を覆いつつ、透光部３０の他の一部を露出させる工程である場合は、例えば、第１波長変換部１０を形成した後、その上に透光部３０の一部となる支持体３２を形成し、その上に第２波長変換部２０を積層しても良い。この場合は、第２波長変換部２０は、例えば、透光部３０の側面を露出するように形成される。また、上記の支持体３２を第２波長変換部２０の上に設け、その上に第１波長変換部１０を積層しても良い。例えば、これにより、図３に例示した発光装置１１０ａが製造できる。
【０１２１】
さらに、ステップＳ１３０において、第２波長変換部２０として、孔２０ｈを有する第２波長変換部２０を形成した場合には、例えば、図７に例示した発光装置１１２、及び、図８（ａ）に例示した発光装置１１３ａなどを製造することができる。なお、孔２０ｈの形成には、例えば、突起を有する型や針などを用いる方法や、レーザ光加工などの任意の手法を採用することができる。
【０１２２】
また、ステップＳ１２０において、例えば透明な樹脂からなる透光部３０を形成した場合には、支持体３２の形成が省略でき、例えば、ステップＳ１３０において、第２波長変換部２０によって、例えば、透光部３０の側面３０ｓ、及び、主面３０ｍの一部、が覆われないように、第２波長変換部２０を形成することができる。
【０１２３】
一方、第１波長変換部１０の形成（ステップＳ１１０）が、第１波長変換部１０に透光領域１０ｔを形成する工程である場合であり、透光領域１０ｔが例えば孔１０ｈである場合は、第１波長変換部１０となる層に、例えば、突起を有する型や針などを用いる方法や、レーザ光加工などの任意の手法で、孔１０ｈを開口する方法を適用することができる。
【０１２４】
また、第１波長変換部１０の形成（ステップＳ１１０）が、第１波長変換部１０に透光領域１０ｔを形成する工程である場合であり、透光領域１０ｔが例えば樹脂層１３である場合は、樹脂層１３となる層と、第１蛍光体１０ａが分散された層と、を混合した樹脂を例えばシート状、または、ドーム状に成形する方法を採用することができる。
【０１２５】
なお、上記のように、第２波長変換部２０に孔２０ｈを形成する、及び、第１波長変換部１０に孔１０ｈを形成する、の少なくともいずれかを行う場合、例えば、第１波長変換部１０、透光部３０及び第２波長変換部２０の少なくともいずれかの光学特性の測定結果、光源４０の光源光４１の光学特性の測定結果、並びに、第１波長変換部１０、透光部３０、第２波長変換部２０、及び、光源４０の光源光４１の光学特性の測定結果、の少なくともいずれかに基づいて、第２波長変換部２０の孔２０ｈの形成、及び、第１波長変換部１０の孔１０ｈの形成、の少なくともいずれかの条件を設定することができる。
【０１２６】
例えば、第１波長変換部１０、透光部３０及び第２波長変換部２０の積層構造体としての光学特性が所定の仕様の範囲に入るように、孔２０ｈや透光領域１０ｔの条件を調整することができる。
【０１２７】
そして、既に説明したように、第２波長変換部２０の孔２０ｈや、第１波長変換部１０の透光領域１０ｔ（孔１０ｈ及び樹脂層１３の少なくともいずれか）の面積、位置、大きさ及び数などによって、発光装置から出射する光の色度を調節することができるので、個々の光源４０によって発光特性が異なるような場合には、個々の光源４０の光源光４１を測定し、そのばらつきを補償するように、孔２０ｈや透光領域１０ｔの条件を調整することができる。
【０１２８】
さらに、例えば、第１波長変換部１０、透光部３０及び第２波長変換部２０の積層構造体と、光源４０と、を組み合わせて、発光装置から出射される光の特性を測定し、その測定結果に基づいて、孔２０ｈや透光領域１０ｔの条件を調整して、発光装置から出射される光の特性を所定の仕様の範囲に入れることができる。
【０１２９】
例えば、光源４０に用いるＬＥＤの発光波長や出力のばらつき、及び、蛍光体の量や分散状態のばらつきなどによって、発光装置から得られる例えば白色光に色ずれが生じ、製品の歩留まりを低下させることがあるが、このように、本発明の実施形態の構成及びその製造方法によれば、発光装置を一度組み立てた後に、色ずれを微調整することが可能となる。そして、発光装置の製造の歩留まりを向上させることもできる。
【０１３０】
図１２は、本発明の第３の実施形態に係る別の発光装置の製造方法を例示するフローチャート図である。  
図１２に表したように、本実施形態に係る別の製造方法においては、第１波長変換部１０を形成するステップＳ１１０ａでは、第１波長変換部１０は光源４０の上に形成される。
【０１３１】
この時、ステップＳ１１０ａは、第１波長変換部１０に、光源光４１を透過させる透光領域１０ｔを形成する工程を含んでも良い。
【０１３２】
そして、例えば、第１波長変換部１０の上に透光部３０を形成する（ステップＳ１２０）。
【０１３３】
そして、透光部３０の上に、第２波長変換部２０を形成する（ステップＳ１３０ａ）。なお、この時、ステップＳ１３０ａは、透光部３０の一部を覆いつつ、透光部３０の他の一部を露出させる工程とすることができる。
【０１３４】
図１３は、本発明の第３の実施形態に係る別の発光装置の製造方法を例示するフローチャート図である。  
図１３に表したように、本実施形態に係る別の製造方法においては、まず、光源４０の上に、透光層５０を形成する（ステップＳ１０１）。
【０１３５】
そして、透光層５０の上に第１波長変換部１０を形成し（ステップＳ１１０ｂ）、第１波長変換部１０の上に透光部３０を形成し（ステップＳ１２０ｂ）、透光部３０の上に、透光部３０の一部を覆いつつ、透光部３０の他の一部を露出させる第２波長変換部２０を形成する（ステップＳ１３０ｂ）。
【０１３６】
このように、光源４０の上に、透光層５０、第１波長変換部１０、透光部３０、及び、第２波長変換部２０を、順次形成する方法を採用することができる。
【０１３７】
例えば、平板状の第１波長変換部１０と、平板状の第２波長変換部２０と、を作製しておき、第１波長変換部１０を光源の上に配置し、その上にスペーサを配置した後に、その上に第２波長変換部２０を配置する方法を採用できる。このスペーサにより形成された空気層が透光部３０となる。また、光源４０と第１波長変換部１０との間の空気層が、透光層５０となる。なお、この場合、ステップＳ１０１とステップＳ１１０ｂとは同時に実施され、ステップＳ１２０ｂとステップＳ１３０ｂとは同時に実施される。また、ステップＳ１０１として透明な樹脂からなる透光層５０を光源４０の上に配置しても良い。
【０１３８】
また、例えば、ドーム状の第１波長変換部１０と、一部に孔２０ｈを有し、第１波長変換部１０よりも径が大きいドーム状の第２波長変換部２０と、を作製しておき、第１波長変換部１０を光源の上に被せ、その上に第２波長変換部２０を被せる方法を採用できる。この場合、第１波長変換部１０を光源の上に被せることで、光源４０と第１波長変換部１０との間に空気層からなる透光層５０が形成される。そして、第１波長変換部１０の上に第２波長変換部２０を被せることで、第１波長変換部１０と第２波長変換部２０との間に空気層からなる透光部３０を形成することができる。なお、この場合、ステップＳ１０１とステップＳ１１０ｂとは同時に実施される。そして、ステップＳ１２０ｂとステップＳ１３０ｂとは同時に実施される。
【０１３９】
図１４は、本発明の第３の実施形態に係る別の発光装置の製造方法を例示するフローチャート図である。  
図１４に表したように、透光層５０の上に第１波長変換部１０を配置して形成するステップＳ１１０ｂの後に、光源４０から光源光４１を出射させ、第１波長変換部１０からの出射光の光学特性として例えばスペクトルを測定する（ステップＳ１５０ｃ）。
【０１４０】
そして、この光学特性の測定結果に基づいて、透光部３０を形成する（ステップＳ１２０ｃ）。  
そして、透光部３０の一部を覆いつつ、透光部３０の他の一部を露出させる第２波長変換部２０を形成する（ステップＳ１３０ｂ）。
【０１４１】
すなわち、例えば、平板状の第１波長変換部１０と、平板状の第２波長変換部２０と、を作製しておき、第１波長変換部１０を光源の上に配置し、その状態で、光源４０から光源光４１を出射させ、第１波長変換部１０からの出射光のスペクトルを測定し、その結果に基づいて、スペーサの大きさ（厚さ）などを決定し、スペーサの上に第２波長変換部２０を配置する。これにより、透光部３０の例えば厚さが、光学特性の測定結果に基づいて決定され、発光装置からの出射光を所定の仕様の範囲に高い精度で入れることができる。
【０１４２】
図１５は、本発明の第３の実施形態に係る別の発光装置の製造方法を例示するフローチャート図である。  
図１５に表したように、透光層５０の上に第１波長変換部１０を配置して形成するステップＳ１１０ｂの後に、光源４０から光源光４１を出射させ、第１波長変換部１０からの出射光の光学特性として例えばスペクトルを測定し（ステップＳ１５０ｃ）、第１波長変換部１０の上に例えばスペーサを配置し、その上に第２波長変換部２０を配置して形成する（ステップＳ１２０ｂ及びステップＳ１３０ｃ）。
【０１４３】
この時、光学特性の測定結果に基づいて、例えば第２波長変換部２０の種類を選定する。ここで、第２波長変換部２０の種類とは、第２蛍光体２０ａの効率、発光波長、吸収率、量子効率、粒径などの蛍光体の特性、第２蛍光体２０ａの第２波長変換部２０における分散形態及び濃度、第２波長変換部２０の大きさや厚みなど、を含む。すなわち、第２波長変換部２０の種類を変えることによって、第２波長変換部２０を透過する光の特性、及び、第２波長変換部２０から発生する第２光２１の特性を変化させることができる。
【０１４４】
すなわち、光学特性の測定結果に基づいて、例えば光源４０や第１波長変換部１０の特性のばらつきや、目標に対してのずれを把握し、このずれを解消するように、第２波長変換部２０の特性の調整を行う。これによって、発光装置の色度のばらつきを軽減できる。
【０１４５】
また、光学特性の測定結果に基づいて、例えば第２波長変換部２０に設けられる孔２０ｈの大きさや密度などが設定されて、第２波長変換部２０に孔２０ｈを形成し、その第２波長変換部２０をスペーサの上に配置する。また、異なる仕様で孔２０ｈが設けられた異なる種類の第２波長変換部２０を予め用意しておき、光学特性の測定結果に基づいて、孔２０ｈの大きさや密度などが選択される。
【０１４６】
また、第２波長変換部２０をスペーサの上に配置した後に、レーザ加工などによって第２波長変換部２０に孔２０ｈを形成しても良く、この孔２０ｈの大きさや密度が、光学特性の測定結果に基づいて定められる。
【０１４７】
なお、図１４に関して説明したステップＳ１２０ｃと、図１５に関して説明したステップＳ１３０ｃと、の両方を組み合わせて実施しても良い。  
すなわち、光学特性の測定結果に基づいて、透光部３０及び第２波長変換部２０の少なくともいずれかの特性を調整することができる。
【０１４８】
図１６は、本発明の第３の実施形態に係る別の発光装置の製造方法を例示するフローチャート図である。  
図１６に表したように、まず、光源４０の上に、第１波長変換部１０、透光部３０及び第２波長変換部２０を配置する（ステップＳ１６０）。
【０１４９】
その後、光源４０から光源光４１を出射させ、第１波長変換部１０、透光部３０及び第２波長変換部２０の積層構造体からの出射光の光学特性として例えばスペクトルを測定する（ステップＳ１５０ｄ）。
【０１５０】
そして、光学特性の測定結果に基づいて、第１波長変換部１０の透光領域１０ｔを形成する（ステップＳ１７０ｄ）。すなわち、透光領域１０ｔとして、第１波長変換部１０にレーザ加工などによって孔１０ｈを形成する。この時の孔１０ｈの大きさや密度などが、光学特性の測定結果に基づいて設定されて、孔１０ｈが形成される。
【０１５１】
図１７は、本発明の第３の実施形態に係る別の発光装置の製造方法を例示するフローチャート図である。  
図１７に表したように、第１波長変換部１０、透光部３０及び第２波長変換部２０の積層構造体からの出射光の光学特性を測定するステップＳ１５０ｄの後に、光学特性の測定結果に基づいて、第２波長変換部２０の孔２０ｈを形成する（ステップＳ１８０ｄ）。すなわち、光学特性の測定結果に基づいて、孔２０ｈの大きさや密度などが設定されて、孔２０ｈが形成される。
【０１５２】
図１８は、本発明の第３の実施形態に係る別の発光装置の製造方法を例示するフローチャート図である。  
図１８に表したように、第１波長変換部１０、透光部３０及び第２波長変換部２０の積層構造体からの出射光の光学特性を測定するステップＳ１５０ｄの後に、光学特性の測定結果に基づいて、透光部３０を形成する（ステップＳ１９０ｄ）。
【０１５３】
例えば、光学特性を測定した後、第２波長変換部２０を一度取り除き、光学特性の測定結果に基づいてスペーサの例えば大きさを調整し、その後、第２波長変換部２０を再度スペーサの上に配置する方法を適用できる。
【０１５４】
以上説明したように、第１波長変換部１０、または、第１波長変換部１０と透光部３０と第２波長変換部２０、を通過した光の光学特性を測定し、その測定結果に基づいて、第１波長変換部１０、透光部３０、第２波長変換部２０の少なくともいずれかの仕様を調整することで、発光装置から出射される光の光学特性を所定の仕様の範囲に高い精度で入れることができ、歩留まりも向上する。
【０１５５】
このように、本発明の実施形態に係る発光装置の製造方法において、第１波長変換部１０の透光領域１０ｔを形成する工程、及び、第２波長変換部２０に孔２０ｈを形成する工程は、製造のどの段階で行うことも可能である。例えば、透光領域１０ｔを設けた第１波長変換部１０、及び、孔２０ｈを設けた第２波長変換部２０を予め形成しておき、これらを組み合わせる方法を採用しても良く、また、例えば、発光装置の製造工程の途中段階、または、最後の段階で、色度を調整するために透光領域１０ｔや孔２０ｈを形成することもできる。
【０１５６】
（実施例）
実施例に係る発光装置においては、光源４０として、青色光を発する発光素子、より詳しくは、ピーク波長が４５０ｎｍで、４１０〜５００ｎｍ付近の光を発光するＧａＮ系半導体発光素子が用いられた。また、第１波長変換部１０の第１蛍光体１０ａとして、緑色発光の粒状蛍光体（Ｂａ，Ｃａ，Ｓｒ）２ＳｉＯ４：Ｅｕが用いられ、第２波長変換部２０の第２蛍光体２０ａとして、赤色発光の粒状蛍光体ＣａＳｉＮ３：Ｅｕが用いられた。
【０１５７】
すなわち、光源光４１は青色であり、第１光１１は緑色であり、第２光２１は赤色である。
【０１５８】
光源４０を実装したパッケージ６０において、ＬＥＤ用封止樹脂ＫＥＲ２５００（信越化学工業株式会社製）により、光源４０が封止された。この封止樹脂が、透光層５０となる。
【０１５９】
次に、パッケージ６０の上に、上記の封止樹脂と、この封止樹脂に分散された第１蛍光体１０ａと、を含む第１波長変換部１０が載置された。次に、第１波長変換部１０の上に、所定の厚さの樹脂製フレーム（スペーサ）が載置された。そして、この上に、上記の封止樹脂と、この封止樹脂に分散された第２蛍光体２０ａと、を含む第２波長変換部２０が載置された。
【０１６０】
このようにして、上記の樹脂製フレームによって第１波長変換部１０と第２波長変換部２０との間に空隙３２ｇが形成され、この空隙３２ｇの部分が透光部３０となる。そして、透光部３０の側面３０ｓは、第２波長変換部２０によって覆われていない。
【０１６１】
この時、樹脂製フレームとして、５０μｍ、１００μｍ及び１５０μｍの厚さの３種類の樹脂製フレームが用いられ、それぞれ発光装置２０１、２０２及び２０３とする。すなわち、発光装置２０１、２０２及び２０３においては、透光部３０の厚さがそれぞれ５０μｍ、１００μｍ及び１５０μｍである。
【０１６２】
一方、比較例として、樹脂製フレームを用いないで第１波長変換部１０の上に第２波長変換部２０が直接載置された発光装置１９９（図示しない）が作製された。
【０１６３】
図１９は、本発明の実施例に係る発光装置及び比較例の発光装置の特性を例示するグラフ図である。  
すなわち、同図は、実施例に係る発光装置２０１〜２０３及び比較例の発光装置１９９から出射される光の特性を例示しており、同図（ａ）、（ｂ）及び（ｃ）は、それぞれ、青色成分、緑色成分、及び赤色成分を表している。これらの図において、横軸は波長λ（ｎｍ）を表し、縦軸は光の強度ＬＩ（ｍＷ／ｎｍ）を表している。
【０１６４】
図１９（ａ）に表したように、比較例の発光装置１９９に比べて、実施例に係る発光装置２０１〜２０３においては、青色成分の光の強度ＬＩが増大し、発光効率が増大した。
【０１６５】
また、図１９（ｂ）に表したように、発光装置１９９に比べて、発光装置２０１〜２０３においては、緑色成分の光の強度ＬＩが増大し、発光効率が増大した。
【０１６６】
また、図１９（ｃ）に表したように、赤色成分の光の強度ＬＩに関しては、発光装置２０１及び２０２においては、発光装置１９９とほぼ同じであり、発光装置２０３においては、発光装置１９９よりも若干低下したが、その低下の程度は僅かである。
【０１６７】
このように、実施例の発光装置２０１〜２０３においては、透光部３０を設けることで、青色成分の光源光４１、及び、緑色成分の第１光１１が増え、発光効率が増加した。そして、透光部３０の厚さが５０μｍから１５０μｍへ増大するに従って、光源光４１及び第１光１１の増大の程度が大きくなった。
【０１６８】
さらに、発光装置２０３から出射される光のスペクトルを測定した。  
その後、発光装置２０３の第２波長変換部２０に、針で孔２０ｈを形成した。これを発光装置２０４とする。そして、この発光装置２０４から出射される光のスペクトルを測定した。  
その後、発光装置２０４の第２波長変換部２０の孔２０ｈの大きさを拡大させた。これを発光装置２０５とする。そして、この発光装置２０５から出射される光のスペクトルを測定した。  
そして、これらのスペクトルの測定結果から色度を求めた。
【０１６９】
図２０は、本発明の実施例に係る発光装置の色度を例示するグラフ図である。  
すなわち、同図は、ＣＩＥ色度図である。なお、同図には、色温度ＣＴの軌跡が記されている。  
図２０に表したように、発光装置２０３、２０４及び２０５の順に、色度が青緑色の方向に移動した。すなわち、孔２０ｈが大きくなるに従って、色度が青緑色の方向に移動した。
【０１７０】
これは、赤色を放射する第２波長変換部２０に孔２０ｈを形成したことによって、第２波長変換部２０の面積が相対的に減少し、また、孔２０ｈを形成したことによって、光源光４１の青色光と、第１光１１の緑色光と、が相対的に増加した結果であると考えられる。
【０１７１】
このように、第２波長変換部２０に孔２０ｈを設けることによって、一旦製造した発光装置の発光の色度を調整できる。また、孔２０ｈの大きさを変えることで、発光の色度をさらに調整できる。
【０１７２】
以上、具体例を参照しつつ、本発明の実施の形態について説明した。しかし、本発明は、これらの具体例に限定されるものではない。例えば、発光装置を構成する光源、第１波長変換部、第２波長変換部、透光部、支持体、透光領域、基板、パッケージ等、各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【０１７３】
その他、本発明の実施の形態として上述した発光装置を基にして、当業者が適宜設計変更して実施し得る全ての発光装置も、本発明の要旨を包含する限り、本発明の範囲に属する。
【０１７４】
その他、本発明の思想の範疇において、当業者であれば、各種の変更例及び修正例に想到し得るものであり、それら変更例及び修正例についても本発明の範囲に属するものと了解される。
【産業上の利用可能性】
【０１７５】
本発明によれば、所望の発光色を高効率で発光する発光装置が提供される。
【符号の説明】
【０１７６】
１０…第１波長変換部、
１０ａ…第１蛍光体、
１０ｈ…孔、
１０ｍ…主面、
１０ｓ…側面、
１０ｔ…透光領域、
１１…第１光、
１１ａ〜１１ｈ…光、
１３…樹脂層、
２０…第２波長変換部、
２０ａ…第２蛍光体、
２０ｈ…孔、
２０ｍ…主面、
２０ｓ…側面、
２１…第２光、
２１ａ〜２１ｄ…光、
３０…透光部、
３０ｍ…主面、
３０ｓ…側面、
３２…支持体、
３２ｇ…空隙、
３３…樹脂層、
４０…光源、
４１…光源光、
４１ａ〜４１ｊ…光
４３…配線、
５０…透光層、
６０…パッケージ、
６０ｒ…凹部、
６１…基板、
６２ａ…第１電極、
６２ｂ…第２電極、
１１０、１１０ａ、１１０ｂ、１１１、１１１ａ、１１２、１１３ａ、１１３ｂ、１２０ａ、１２０ｂ、１２１ａ、１２１ｂ、１９９、２０１、２０２、２０３、２０４、２０５…発光装置、
ＣＴ…色温度、
Ｒ１〜Ｒ４…第１〜第４領域
【図１】
2011013188.tif 000003
【図２】
2011013188.tif 000004
【図３】
2011013188.tif 000005
【図４】
2011013188.tif 000006
【図５】
2011013188.tif 000007
【図６】
2011013188.tif 000008
【図７】
2011013188.tif 000009
【図８】
2011013188.tif 000010
【図９】
2011013188.tif 000011
【図１０】
2011013188.tif 000012
【図１１】
2011013188.tif 000013
【図１２】
2011013188.tif 000014
【図１３】
2011013188.tif 000015
【図１４】
2011013188.tif 000016
【図１５】
2011013188.tif 000017
【図１６】
2011013188.tif 000018
【図１７】
2011013188.tif 000019
【図１８】
2011013188.tif 000020
【図１９】
2011013188.tif 000021
【図２０】
2011013188.tif 000022
【手続補正書】
【提出日】平成24年9月27日(2012.9.27)
【手続補正１】
【補正対象書類名】特許請求の範囲
【補正対象項目名】全文
【補正方法】変更
【補正の内容】
【特許請求の範囲】
【請求項１】
光源光を出射する光源と、
前記光源光を吸収し、前記光源光の波長とは異なる波長を有する第１光を放射する第１波長変換部と、
前記第１波長変換部の前記光源とは反対の側に設けられ、前記光源光及び前記第１光を透過させる透光部と、
前記透光部の前記第１波長変換部とは反対の側に設けられ、前記光源光及び前記第１光の少なくともいずれかを吸収し、前記光源光の前記波長とは異なり、前記第１光の波長とも異なる波長を有する第２光を放射する第２波長変換部と、
を備え、
前記第１波長変換部は、前記第２波長変換部に覆われた領域と、前記第２波長変換部に覆われていない領域と、を有し、
前記光源光の一部は、前記第１波長変換部及び前記第２波長変換部の少なくともいずれかを通過せずに外部に取りだされることを特徴とする発光装置。
【請求項２】
前記透光部は、前記第２波長変換部に覆われた第１領域と、前記第２波長変換部に覆われていない第２領域と、を有し、前記第２領域は、前記透光部の前記第２波長変換部に対向する主面の一部、及び、前記透光部の側面の少なくとも一部、の少なくともいずれかを含むことを特徴とする請求項１記載の発光装置。
【請求項３】
前記第１波長変換部のうちの前記第２波長変換部に覆われていない前記領域は、第１波長変換部の前記透光部に対向する主面の一部、及び、前記第１波長変換部の側面の少なくとも一部、の少なくともいずれかを含むことを特徴とする請求項２記載の発光装置。
【請求項４】
前記透光部は、前記第１波長変換部の一部と、前記第２波長変換部の一部と、に接触して設けられ、前記第２波長変換部を支持する支持体を有し、
前記第１波長変換部と前記第２波長変換部との間には、前記支持体を除く部分に空隙が設けられていることを特徴とする請求項３記載の発光装置。
【請求項５】
前記第１波長変換部は、前記第１波長変換部を前記第１波長変換部の厚さ方向で貫通する第１孔を有することを特徴とする請求項３記載の発光装置。
【請求項６】
前記第２波長変換部は、前記第２波長変換部を前記第２波長変換部の厚さ方向で貫通する第２孔を有することを特徴とする請求項３記載の発光装置。
【請求項７】
前記第１波長変換部、前記透光部、及び、前記第２波長変換部のそれぞれは、平板状であることを特徴とする請求項３記載の発光装置。
【請求項８】
前記第１光の波長は、前記光源光の波長よりも長く、
前記第２光の波長は、前記第１光の波長よりも長いことを特徴とする請求項３記載の発光装置。
【請求項９】
前記第１波長変換部は円蓋状であり、前記透光部は前記第１波長変換部の外側に配置された円蓋状であり、前記第２波長変換部は前記透光部の外側に配置された円蓋状であることを特徴とする請求項１記載の発光装置。
【手続補正２】
【補正対象書類名】明細書
【補正対象項目名】０００６
【補正方法】変更
【補正の内容】
【０００６】
本発明の一態様によれば、光源光を出射する光源と、前記光源光を吸収し、前記光源光の波長とは異なる波長を有する第１光を放射する第１波長変換部と、前記第１波長変換部の前記光源とは反対の側に設けられ、前記光源光及び前記第１光を透過させる透光部と、前記透光部の前記第１波長変換部とは反対の側に設けられ、前記光源光及び前記第１光の少なくともいずれかを吸収し、前記光源光の前記波長とは異なり、前記第１光の波長とも異なる波長を有する第２光を放射する第２波長変換部と、を備え、前記第１波長変換部は、前記第２波長変換部に覆われた領域と、前記第２波長変換部に覆われていない領域と、を有し、前記光源光の一部は、前記第１波長変換部及び前記第２波長変換部の少なくともいずれかを通過せずに外部に取りだされることを特徴とする発光装置が提供される。
【国際調査報告】
2011013188.tif 000023
2011013188.tif 000024
2011013188.tif 000025
2011013188.tif 000026